(57)【要約】  カバーの着脱機構は、筐体（２）と、該筐体（２）に着脱されるカバー（３）とに設けられる。筐体（２）には突起部（２４）が形成され、カバー（３）には、突起部（２４）を嵌合させることにより、カバー（３）が筐体（２）に沿って第１の位置と第２の位置との間をスライドする際に、カバー（３）がスライド方向とは異なる方向へ移動することを規制するスライドガイド部（３６）と、カバー（３）が第２の位置にあるときに、スライドガイド部（３６）への突起部（２４）の嵌合を解除させ、カバー（３）を筐体（２）からスライド方向とは異なる方向に筐体（２）から離脱可能とする離脱部（３７）と、が形成されている。
2010143275.tif 000002
【特許請求の範囲】
【請求項１】
筐体と、該筐体に着脱されるカバーとに設けられるカバーの着脱機構であって、
前記筐体には突起部が形成され、
前記カバーには、前記突起部を嵌合させることにより、前記カバーが前記筐体に沿って第１の位置と第２の位置との間をスライドする際に、前記カバーがスライド方向とは異なる方向へ移動することを規制するスライドガイド部と、前記カバーが前記第２の位置にあるときに、前記スライドガイド部への前記突起部の嵌合を解除させ、前記カバーを前記筐体から前記スライド方向とは異なる方向に離脱可能とする離脱部と、が形成されていることを特徴とするカバーの着脱機構。
【請求項２】
前記離脱部は、前記突起部の径より小さい幅に形成された狭幅部を備えている、請求項１に記載のカバーの着脱機構。
【請求項３】
前記カバーが前記第１の位置にあるときに、前記カバーがスライドすることを規制する規制機構が設けられている、請求項１または２に記載のカバーの着脱機構。
【請求項４】
前記スライドガイド部は、前記カバーの、前記スライド方向に直交する方向の両端部にそれぞれ形成されている、請求項１から３のいずれか１項に記載のカバーの着脱機構。
【請求項５】
光源を収容し、開口部が設けられた筐体と、該筐体に前記開口部を覆うように装着可能なカバーと、該カバーを前記筐体に着脱可能にする請求項１から４のいずれか１項に記載のカバーの着脱機構と、を備えたプロジェクタ。
【発明の詳細な説明】
【技術分野】
【０００１】
本発明は、カバーの着脱機構およびこれを備えたプロジェクタに関する。
【背景技術】
【０００２】
一般的なプロジェクタには、開口部が形成された筐体に開口部を覆うように装着可能なカバーが設けられている。このようなプロジェクタでは、カバーが筐体から取り外された状態で、筐体に収容された光源などの部品が開口部から交換される。そして、カバーが筐体に装着された状態では、プロジェクタの使用時にユーザの手が開口部から筐体内に入って高温の部品に触れることが防止される。また、カバーによって、開口部から筐体内に埃が混入することも防止される。【０００３】
図１Ａおよび図１Ｂは一般的なプロジェクタの斜視図である。プロジェクタ１０１には、開口部１２１が設けられた筐体１０２と、筐体１０２の開口部１２１を覆うように筐体１０２に装着可能なカバー１０３と、が設けられている。図１Ａは筐体１０２にカバー１０３を装着した状態を示しており、図１Ｂは筐体１０２からカバー１０３を取り外した状態を示している。図１Ｂに示すように筐体１０２にはねじ穴１０５が設けられており、カバー１０３はねじ１０４によって筐体１０２のねじ穴１０５に固定される。【０００４】
しかし、図１Ａおよび図１Ｂに示したプロジェクタ１０１では、カバー１０３を筐体１０２に着脱する際に、ねじ１０４を絞めたり緩めたりするための工具を用意する必要がある。そのため、カバー１０３の筐体１０２への着脱に手間がかかる。【０００５】
特許文献１には、カバーを筐体に着脱する際に工具を必要としないカバーの着脱機構を備えたプロジェクタが記載されている。このプロジェクタについて図２Ａ〜図２Ｄを参照して説明する。説明には、図中に示した互いに直交するＸ軸、Ｙ軸およびＺ軸を用いる。図２Ａは筐体２０２の内部を示した斜視図であり、図２Ｂはカバー２０３の内面側を示した斜視図である。図２Ａは、筐体２０２にカバー２０３が装着された状態を示している。【０００６】
カバー２０３はＬ字型であり、Ｘ軸方向に延びる被覆部２０３ａと、被覆部２０３ａのＸ軸方向の一方の端部から被覆部２０３ａの内面側に延びる側面部２０３ｂと、を有している。カバー２０３の筐体２０２への装着時に、被覆部２０３ａは筐体２０２の開口部２２１を覆って筐体２０２の上面の一部を構成し、側面部２０３ｂは筐体２０２の側面の一部を構成する。【０００７】
カバー２０３には、被覆部２０３ａのＸ軸方向の他方の端部に係合片２０５が設けられている。係合片２０５は、被覆部２０３ａからＸ軸方向に突出しており、さらに先端が被覆部２０３ａの外面側に突出している。筐体２０２の内面には凹形状の係合部２２３が設けられており、カバー２０３の筐体２０２への装着時には、カバー２０３の係合片２０５の先端が筐体２０２の係合部２２３に入り込んでいる。したがって、筐体２０２に装着されたカバー２０３は、筐体２０２に対してＸ軸方向に移動することが規制されている。【０００８】
また、カバー２０３のＹ軸方向の両端には、カバー２０３の内面側に突出したフック部２０４が設けられている。各フック部２０４は、Ｙ軸方向に弾性変形可能な平板部２０４ａと、平板部２０４ａの先端に形成され、外向きに突出した突出部２０４ｂと、を有している。一方、筐体２０２の内面には、開口部２２１を囲うリブ２２２が設けられている。カバー２０３の筐体２０２への装着時には、平板部２０４ａは筐体２０２のリブ２２２に開口部２２１の内側から係合し、突出部２０４ｂはリブ２２２の端部に係合している。したがって、筐体２０２に装着されたカバー２０３は、筐体２０２に対してＹ軸方向およびＺ軸方向に移動することが規制されている。【０００９】
このプロジェクタでは、カバー２０３の係合片２０５の、筐体２０２の係合部２２３に対する係合を解除すると、カバー２０３を筐体２０２に対してＸ軸方向にスライドさせることができるようになる。その際、カバー２０３は、フック部２０４の平板部２０４ａおよび突出部２０４ｂをリブ２２２に係合させたまま移動するため、カバー２０３は筐体２０２に対してＹ軸方向およびＺ軸方向には動かない。【００１０】
筐体２０２の各リブ２２２には、筐体２０２に装着されたカバー２０３の側面部２０３ｂに隣接する互いに対向する部分に、空間形成部２０６が設けられている。空間形成部２０６について図２Ｃおよび図２Ｄを用いて説明する。【００１１】
図２Ｃは筐体２０２およびカバー２０３を外面側から示した図であり、図２Ｄは図２ＣのＡ−Ａ’線断面図である。図２Ｃおよび図２Ｄは、図２Ａに示した状態から、カバー２０３をスライドさせてフック部２０４が空間形成部２０６に達した状態を示している。空間形成部２０６は、フック部２０４の平板部２０４ａと筐体２０２との間に、筐体２０２の外面側からユーザが指を挿入可能な空間２０７を形成している。【００１２】
このプロジェクタでは、図２Ｃおよび図２Ｄに示した状態において、ユーザが各空間２０７に指を入れてフック部２０４をつまみ、各突出部２０４ｂが互いに近接するように平板部２０４ａを弾性変形させると、突出部２０４ｂの空間形成部２０６に対する係合が解除される。そうすると、カバー２０３が筐体２０２からＺ軸方向に離脱可能となり、カバー２０３を筐体２０２から取り外すことができる。【００１３】
以上をまとめると、このプロジェクタでは、以下の操作を行うことによりカバー２０３を筐体２０２から取り外すことができる。
（１）カバーの外面を押圧して、カバー２０３の係合片２０５の、筐体２０２の係合部２２３に対する係合を解除させる。
（２）カバー２０３を筐体２０２に対してＸ軸方向にスライドさせ、カバー２０３のフック部２０４を筐体２０２の空間形成部２０６まで移動させる。
（３）カバー２０３のフック部２０４をつまみ、フック部２０４の突出部２０４ｂの、筐体２０２の空間形成部２０６に対する係合を解除させる。
（４）カバー２０３を筐体２０２からＺ軸方向に離脱させる。【００１４】
このように、このプロジェクタでは、ユーザが上記の４つの動作を含む操作を行うことによりカバー２０３を筐体２０２から取り外すことができる。【００１５】
また、このプロジェクタでは、カバー２０３を筐体２０２から取り外す操作とは反対の操作にてカバー２０３を筐体２０２に装着することが可能である。すなわち、まずフック部２０４を空間２０７に挿入し、突出部２０４ｂを空間形成部２０６に係合させる。そして、カバー２０３をスライドさせ、係合片２０５を筐体２０２の係合部２２３に係合させることにより、カバー２０３の筐体２０２への装着が完了する。
【先行技術文献】
【特許文献】
【００１６】
【特許文献１】特開２００７−９５７９３号公報
【発明の概要】
【発明が解決しようとする課題】
【００１７】
上述したように、特許文献１に記載されたプロジェクタでは、カバーを筐体から取り外す際に、４つの異なる動作を含む操作を行う必要がある。しかし、カバーはより簡単な操作にて筐体から取り外すことができることが望ましい。【００１８】
そこで、本発明の目的は、簡単かつ安全に筐体からカバーを取り外すことが可能なカバーの着脱機構およびこれを備えたプロジェクタを提供することにある。
【課題を解決するための手段】
【００１９】
上記目的を達成するため、本発明のカバーの着脱機構は、筐体と、該筐体に着脱されるカバーとに設けられるカバーの着脱機構であって、前記筐体には突起部が形成され、前記カバーには、前記突起部を嵌合させることにより、前記カバーが前記筐体に沿って第１の位置と第２の位置との間をスライドする際に、前記カバーがスライド方向とは異なる方向へ移動することを規制するスライドガイド部と、前記カバーが前記第２の位置にあるときに、前記スライドガイド部への前記突起部の嵌合を解除させ、前記カバーを前記筐体から前記スライド方向とは異なる方向に離脱可能とする離脱部と、が形成されていることを特徴とする。
【発明の効果】
【００２０】
本発明によれば、簡単かつ安全に筐体からカバーを取り外すことが可能なカバーの着脱機構およびこれを備えたプロジェクタを提供することができる。
【図面の簡単な説明】
【００２１】
【図１Ａ】一般的なプロジェクタの斜視図である。
【図１Ｂ】図１Ａに示したプロジェクタの斜視図である。
【図２Ａ】本願発明に関連するプロジェクタの筐体の内部を示した斜視図である。
【図２Ｂ】図２Ａに示したカバーの内面側を示した斜視図である。
【図２Ｃ】図２Ａに示した筐体およびカバーの上面図である。
【図２Ｄ】図２Ａに示した筐体およびカバーの図２ＣのＡ−Ａ’線断面図である。
【図３】本発明の一実施形態に係るプロジェクタの斜視図である。
【図４Ａ】図３に示したプロジェクタの筐体の内部を示した斜視図である。
【図４Ｂ】図４Ａに示した筐体の領域Ａを拡大して示した図である。
【図５Ａ】図３に示したプロジェクタのカバーの外面側を示した斜視図である。
【図５Ｂ】図３に示したプロジェクタのカバーの内面側を示した斜視図である。
【図５Ｃ】図５Ｂに示したカバーの領域Ｂを拡大して示した図である。
【図６Ａ】図３に示したプロジェクタの斜視図である。
【図６Ｂ】図３に示したプロジェクタの斜視図である。
【図６Ｃ】図３に示したプロジェクタの斜視図である。
【発明を実施するための形態】
【００２２】
次に、本発明の実施形態について図面を参照して説明する。なお、説明には図中に適宜示した互いに直交するＸ軸、Ｙ軸およびＺ軸を用いる。
【００２３】
図３は本発明の一実施形態に係るプロジェクタの斜視図である。プロジェクタ１には、光を投射するための光源、光学系、電源ユニット（いずれも不図示）などを収容した筐体２と、筐体２に装着されたカバー３とが設けられている。
【００２４】
カバー３はＬ字型であり、Ｘ軸方向に延びる被覆部３１と、被覆部３１の一方の端部から被覆部３１の内面側に延びる側面部３２と、を有している。カバー３の筐体２への装着時に、被覆部３１は筐体２のＸＹ平面に平行な外面である上面の一部を構成し、側面部３２は筐体２の側面の一部を構成する。また、被覆部３１の外面には筐体２に着脱されるための操作に用いられる操作部３８が設けられている。
【００２５】
図４Ａおよび図４Ｂを参照して筐体２の詳細について説明する。図４Ａは、筐体２の内部を、図３の下方から見た状態を示した斜視図であり、図４Ｂは図４Ａの領域Ａを拡大して示した図である。
【００２６】
筐体２には上面のＸ軸方向の端部に寄せた位置に開口部２１が設けられている。図３では開口部２１はカバー３の被覆部３１によって筐体２の外面側から覆われている。また、開口部２１の、筐体２のＸ軸方向の端部に近接するＹ軸方向の両端部には、筐体２の内面から突出したリブ２２が設けられている。また、開口部２１の、リブ２２側とは反対側のＸ軸方向の端部には凹形状の係合部２３が設けられている。また、開口部２１に隣接する位置に、スリット状のガイド穴２６がＸ軸方向に沿って形成されている。
【００２７】
図４Ｂに示すように、リブ２２には開口部２１側に突出した突起部２４が設けられている。すなわち、突起部２４の突出方向はＹ軸方向である。また、筐体２には、各リブ２２に対して開口部２１側に隣接する位置に、Ｚ軸方向に貫通しているスリット２５がＸ軸方向に沿って形成されている。
【００２８】
次に、図５Ａ〜図５Ｃを参照してカバー３の詳細について説明する。図５Ａおよび図５Ｂはカバー３の斜視図であり、図５Ｃは図５Ｂの領域Ｂを拡大して示した図である。図５Ａはカバー３の外面側を示しており、図５Ｂはカバー３の内面側を示している。
【００２９】
カバー３には、被覆部３１の内面の、側面部３２側とは反対側のＸ軸方向の端部には係合片３４が設けられている。係合片３４は、被覆部３１からＸ軸方向に突出しており、先端が被覆部３１の外面側に突出している。カバー３の筐体２への装着時に、カバー３は、係合片３４が図４Ａに示した筐体２の係合部２３に嵌合することにより、筐体２に対してＸ軸方向に移動することが規制されている。すなわち、係合片３４は筐体２の係合部２３とともに、カバー３の筐体２への装着時にカバー３のスライドを規制する規制機構として機能する。
【００３０】
また、被覆部３１には内面から突出した爪３５が設けられている。爪３５は、カバー３の筐体２への装着時に、図４Ａに示した筐体２のガイド穴２６に挿通される。ガイド穴２６に挿通された爪３５は、ガイド穴２６によってＹ軸方向に移動することが規制されており、ガイド穴２６に沿ってＸ軸方向に移動可能である。
【００３１】
被覆部３１の側面部３２に隣接するＹ軸方向の両端には、板状のリブ３３が設けられている。リブ３３は、被覆部３１の内面に、被覆部３１および側面部３２に直交するように立てて設けられている。図５Ｃを参照して、リブ３３の詳細について説明する。
【００３２】
図５Ｃに示すように、リブ３３には、外向きの面から突出したガイドレール３９が設けられている。リブ３３には、ガイドレール３９によって、Ｘ軸方向に延在するスライドガイド部３６が形成されている。スライドガイド部３６の側面部３２側とは反対側の端部は、Ｚ軸方向にリブ３３の端部まで延びる離脱部３７とされている。離脱部３７には、Ｘ軸方向の幅が最小となる狭幅部３７ａが設けられ、狭幅部３７ａからリブ３３のＺ軸方向の端部にかけてＸ軸方向の幅が拡大している開放部３７ｂが設けられている。
【００３３】
各リブ３３のスライドガイド部３６には、図４Ｂに示した筐体２の各リブ２２の突起部２４がそれぞれ嵌合する。図３に示したカバー３の筐体２への装着時に、筐体２の突起部２４は、スライドガイド部３６の側面部３２側の端部に係合している。
【００３４】
スライドガイド部３６のＺ軸方向の幅は、図４Ｂに示した筐体２の突起部２４が入り込むことが可能なように、突起部２４の径より少し大きく形成されている。したがって、突起部２４に嵌合されたスライドガイド部３６は、突起部２４によってＺ軸方向に移動することが規制されている。また、スライドガイド部３６に嵌合している突起部２４の先端がリブ３３の表面に当接しているため、カバー３はＹ軸方向に移動することが規制されている。一方、スライドガイド部３６は突起部２４によってＸ軸方向に移動することは規制されないため、カバー３はスライドガイド部３６に突起部２４を嵌合させたまま、筐体２に対してＸ軸方向に移動可能である。
【００３５】
また、スライドガイド部３６の側面部３２側とは反対側の端部は、離脱部３７によってリブ３３の端部に向けてＺ軸方向に開放されている。そのため、図４Ｂに示した筐体２の突起部２４がスライドガイド部３６の側面部３２側とは反対側の端部に係合しているときには、突起部２４のスライドガイド部３６への嵌合を解除可能となっている。
【００３６】
離脱部３７の狭幅部３７ａのＸ軸方向の幅は、突起部２４の径よりも少し小さく形成されている。したがって、突起部２４は、狭幅部３７ａに係合することにより、カバー３が筐体２からＺ軸方向に離間することを妨げる。狭幅部３７ａを、突起部２４を通過させるためには、カバー３を筐体２から離間させるＺ軸方向の力をカバー３に付与することにより、突起部２４から狭幅部３７ａにＺ軸方向の力が加わるようにする。これにより、狭幅部３７ａは、Ｘ軸方向の幅が大きくなるように弾性変形して、突起部２４を通過する。狭幅部３７ａが突起部２４を通過して、リブ３３の突起部２４に係合される位置が狭幅部３７ａから開放部３７ｂに移動すると、リブ３３は突起部２４からＺ軸方向に離脱可能となる。
【００３７】
図６Ａ〜図６Ｃを参照して、本実施形態に係るプロジェクタ１における、カバー３を筐体２から取り外す操作について説明する。
【００３８】
まず、図６Ａに示すように筐体２に装着されたカバー３の操作部３８に、Ｚ軸方向に押圧する力Ｆ１を付与する。そうすると、カバー３が弾性変形して操作部３８が押し下げられ、図５Ａに示したカバー３の係合片３４の図４Ａに示した筐体２の係合部２３に対する係合が解除される。これにより、カバー３は筐体２に対してＸＹ平面に平行なスライド面に沿ってＸ軸方向に移動可能となる。
【００３９】
次に、図６Ｂに示すように、図６Ａに示す第１の位置にあるカバー３の操作部３８にＸ軸方向の力Ｆ２を付与して、カバー３を筐体２に対してスライドさせて図６Ｂに示す第２の位置まで移動させる。その際に、筐体２の突起部２４が、カバー３のスライドガイド部３６がＹ軸方向およびＺ軸方向に移動することを規制しているため、カバー３は筐体２に対してＹ軸方向およびＺ軸方向には動かない。図６Ｂに示すカバー３が第２の位置にある状態では、図４Ｂに示した筐体２の突起部２４は、図５Ｃに示したスライドガイド部３６の、離脱部３７に隣接した位置にある。
【００４０】
そして、図６Ｃに示すように、カバー３にＺ軸方向の力Ｆ３を付与する。そうすると、筐体２の突起部２４によって押し広げられた離脱部３７の狭幅部３７ａが突起部２４を通過し、カバー３が筐体２から離脱する。
【００４１】
図６Ｂに示す状態では、筐体２の突起部２４は、スライドガイド部３６の、離脱部３７に隣接した位置にあるが、カバー３が筐体２から離間しようとすると離脱部３７の狭幅部３７ａが突起部２４に係合し、カバー３が筐体２から離間することを妨げる。そのため、図６Ｂに示す状態において筐体２およびカバー３に振動が加わるような場合にもユーザの意に反してカバー３が筐体２から外れることを防止できる。したがって、プロジェクタ１は高い安全性を有する。
【００４２】
以上述べたように、本実施形態に係るプロジェクタ１では、以下の操作を行うことにより筐体２に装着されたカバー３を筐体２から取り外すことができる。
（１）カバー３の操作部３８にＺ軸方向の力Ｆ１を付与して、カバー３の係合片３４の、筐体２の係合部２３に対する係合を解除させる（図６Ａ参照）。
（２）カバー３の操作部３８にＸ軸方向の力Ｆ２を付与して、カバー３を筐体２に対してスライドさせる（図６Ｂ参照）。
（３）カバー３にＺ軸方向の力Ｆ３を付与して、カバー３を筐体２から離脱させる（図６Ｃ参照）。
【００４３】
このように、本実施形態に係るプロジェクタ１では、ユーザは、これらの３つの動作を含む操作を行うことによって簡単に筐体２に装着されたカバー３を筐体２から取り外すことが可能である。
【００４４】
プロジェクタ１では、離脱部３７の狭幅部３７ａを、筐体２の突起部２４を通過させるために付与する力Ｆ３の方向と、筐体２からカバー３を離間させる方向と、が一致している。これにより、プロジェクタ１では、単一の動作（３）において、離脱部３７の狭幅部３７ａを、筐体２の突起部２４を通過させることと、筐体２からカバー３を離間させることと、を行うことができる。そのため、本実施形態に係るプロジェクタ１では、少ない動作で筐体２に装着されたカバー３を筐体２から取り外すことができる。
【００４５】
また、プロジェクタ１では、動作（１）における操作部３８への押圧方向と、動作（２）におけるカバー３の筐体２に対するスライド方向と、が異なり、さらに、動作（２）におけるカバー３の筐体２に対するスライド方向と、動作（３）におけるカバー３を持ち上げる方向と、が異なる。したがって、プロジェクタ１では、ユーザが３つの動作を的確に行わない限り、カバー３が筐体２から外れない。そのため、本実施形態に係るプロジェクタ１ではユーザがカバー３を筐体２から取り外す際の誤操作を防止することができる。
【００４６】
なお、本実施形態に係るプロジェクタ１では、上述したカバー３を筐体２から取り外す操作とは反対の操作にてカバー３を筐体２に装着することが可能である。すなわち、まず図５Ｃに示した各離脱部３７の開放部３７ｂを図４Ｂに示した筐体２の突起部２４に係合させ、離脱部３７の狭幅部３７ａが突起部２４を通過するようにカバー３をＺ軸方向に押圧してスライドガイド部３６に突起部２４を押し入れる。そして、カバー３をＸ軸方向にスライドさせ、カバー３の係合片３４を筐体２の係合部２３に嵌合させることにより、カバー３の筐体２への装着が完了する。
【００４７】
また、本実施形態では、図６Ｂに示した状態において、カバー３を筐体２から離脱させるために力を加える方向である離間方向は、カバー３の筐体２に対するスライド面に垂直な方向である。しかし、カバー３の離間方向は、カバー３の筐体２に対するスライド方向と異なっていれば、ユーザがカバー３を筐体２から取り外す際の誤操作を防止することができる。したがって、本実施形態では、図５Ｃに示すように離脱部３７がＺ軸方向に開放されているが、離脱部３７をＺ軸に対して傾いた方向に開放させるようにガイドレール３９を形成してもよい。
【００４８】
また、本実施形態では、筐体２は、上面がカバー３の筐体２に対するスライド面に平行になるように形成されている。しかし、筐体２の上面は様々な形状に形成することが可能であり、カバー３の筐体２に対するスライド面に平行でなくてもよい。
【００４９】
また、本実施形態では、カバー３のスライドガイド部３６は、ガイドレール３９によって形成されているが、Ｙ軸方向に凹んだ形状を有し、筐体２の突起部２４の移動することを規制することができればよい。したがって、スライドガイド部３６は、たとえば、リブ３３に形成された溝であってもよい。
【符号の説明】
【００５０】
１      プロジェクタ
２      筐体
３      カバー
２１    開口部
２２    リブ
２３    係合部
２４    突起部
２５    スリット
３１    被覆部
３２    側面部
３３    リブ
３４    係合片
３６    スライドガイド部
３７    離脱部
３７ａ  狭幅部
３７ｂ  開放部
３８    操作部
３９    ガイドレール
【図１Ａ】
2010143275.tif 000003
【図１Ｂ】
2010143275.tif 000004
【図２Ａ】
2010143275.tif 000005
【図２Ｂ】
2010143275.tif 000006
【図２Ｃ】
2010143275.tif 000007
【図２Ｄ】
2010143275.tif 000008
【図３】
2010143275.tif 000009
【図４Ａ】
2010143275.tif 000010
【図４Ｂ】
2010143275.tif 000011
【図５Ａ】
2010143275.tif 000012
【図５Ｂ】
2010143275.tif 000013
【図５Ｃ】
2010143275.tif 000014
【図６Ａ】
2010143275.tif 000015
【図６Ｂ】
2010143275.tif 000016
【図６Ｃ】
2010143275.tif 000017
【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
筐体と、該筐体に着脱されるカバーとに設けられるカバーの着脱機構であって、
前記筐体には突起部が形成され、
前記カバーには、
前記筐体に沿ってスライドするスライド方向に沿った面を有するリブと、
前記リブから突出し前記スライド方向に延在する一対の第一凸部によって前記突起部を嵌合させることにより、前記カバーが前記筐体に沿って第１の位置と第２の位置との間をスライドする際に、前記カバーが前記スライド方向とは異なる離脱方向へ移動することを規制するスライドガイド部と、
前記一対の第一凸部の前記スライド方向における前記第２の位置側の端部から前記離脱方向における前記リブの端部まで延在した一対の第二凸部によって前記スライドガイド部と連結された前記突起部の経路を構成し、前記カバーが前記第２の位置にあるときに、前記スライドガイド部への前記突起部の嵌合を解除させ、前記カバーを前記筐体から前記離脱方向に離脱可能とする離脱部と、が形成されており、
前記一対の第二凸部は、前記スライド方向において前記突起部の径より小さい幅に形成された狭幅部と、前記離脱方向に向かうにつれて前記スライド方向の幅が拡大しており、前記狭幅部よりも前記離脱方向における前記リブの端部側に位置する開放部と、を有し、
前記スライドガイド部は、前記カバーの、前記スライド方向に直交する方向の両端部にそれぞれ形成されている、カバーの着脱機構。
【請求項２】
前記カバーが前記第１の位置にあるときに、前記カバーがスライドすることを規制する規制機構が設けられている、請求項１に記載のカバーの着脱機構。
【請求項３】
光源を収容し、開口部が設けられた筐体と、該筐体に前記開口部を覆うように装着可能なカバーと、該カバーを前記筐体に着脱可能にする請求項１または２に記載のカバーの着脱機構と、を備えたプロジェクタ。
【国際調査報告】
2010143275.tif 000018
2010143275.tif 000019
2010143275.tif 000020
2010143275.tif 000021